(57)【要約】【課題】複数のキャリア周波数及び複数の変調方式の中からシステムに合致したキャリア周波数及び変調方式を選択設定することができると共に、外部アナログ信号又はデジタル信号の状態を判断して自らリーダー又は無線基地局に情報伝送が行える、マルチ通信方式対応センサ機能付きハイブリッド型ソフトＩＤタグを得る。【解決手段】リーダーとＲＦＩＤ通信を行うためのＲＦＩＤ部と、無線基地局と微弱無線等による無線通信を行うためのＲＦ通信部と、前記ＲＦＩＤ部とＲＦ通信部の制御及び外部アナログ信号又はデジタル信号の入出力処理を行うためのＣＰＵ部にて構成する。ＲＦＩＤ部には個々のＲＦＩＤ通信用のキャリア周波数に同調するアンテナ及び同調回路と当該同調回路の共振周波数を決定するためのＳＡＷフィルタとの組合せを複数有し、ＣＰＵ部には外部アナログ信号又はデジタル信号の入出力処理を行うためのインターフェース回路を有す。【選択図】        図１
2007174130.tif 000002
【特許請求の範囲】
【請求項１】
リーダーとＲＦＩＤ通信を行うためのＲＦＩＤ部と、無線基地局と微弱無線等による無線通信を行うためのＲＦ通信部と、前記ＲＦＩＤ部とＲＦ通信部の制御及び外部アナログ信号又はデジタル信号の入出力処理を行うためのＣＰＵ部にて構成することを特徴とする、マルチ通信方式対応センサ機能付きハイブリッド型ソフトＩＤタグ。
【請求項２】
複数のキャリア周波数及び複数の変調方式の中から使用するシステムに合致したキャリア周波数及び変調方式を選択する方法にあっては、ＲＦＩＤ部において個々のＲＦＩＤ通信用のキャリア周波数に同調するアンテナ及び同調回路と当該同調回路の共振周波数を決定するためのＳＡＷフィルタとの組合せを複数有すると共に、ＣＰＵ部においてキャリア周波数及び変調方式選択用プログラムを蓄積したプログラムメモリによるＣＰＵの制御により前記ＳＡＷフィルタの選択を行うことを特徴とする、請求項１に記載のマルチ通信方式対応センサ機能付きハイブリッド型ソフトＩＤタグ。
【請求項３】
外部アナログ信号又はデジタル信号の入出力処理及び当該信号状態を判断して自らリーダー又は無線基地局に情報伝送を行う方法にあっては、ＣＰＵ部において外部アナログ信号又はデジタル信号の入出力処理を行うためのインターフェース回路を有すると共に、アナログ信号入力データ又はデジタル信号入力データが予め設定された閾値をクロスすることによる状態変化を捉えてＲＦＩＤ部又はＲＦ通信部を自動的に動作させることを特徴とする、請求項１に記載のマルチ通信方式対応センサ機能付きハイブリッド型ソフトＩＤタグ。
【請求項４】
ＲＦＩＤ通信エリア内においては、リーダーとマルチ通信方式対応センサ機能付きハイブリッド型ソフトＩＤタグ間とのバッテリーレス動作によるＲＦＩＤ通信と、リーダーからの指令による無線基地局とマルチ通信方式対応センサ機能付きハイブリッド型ソフトＩＤタグ間とのバッテリー動作による無線通信を行い、ＲＦＩＤ通信エリア外においては、無線基地局からの指令若しくはアナログ信号入力データ又はデジタル信号入力データが予め設定された閾値をクロスすることによる状態変化を捉えて自動的に前記無線基地局とマルチ通信方式対応センサ機能付きハイブリッド型ソフトＩＤタグ間とのバッテリー動作による無線通信を行うことを特徴とした、請求項１から３に記載のマルチ通信方式対応センサ機能付きハイブリッド型ソフトＩＤタグ。
【発明の詳細な説明】
【技術分野】
【０００１】
本発明は、複数のキャリア周波数及び複数の変調方式の中から使用するシステムに合致したキャリア周波数及び変調方式をプログラム制御により選択設定してリーダーとＲＦＩＤ（Radio Frequency Identification）通信を行うことができると共に、外部アナログ信号又はデジタル信号の入出力処理及び当該信号状態を判断して自ら前記リーダー又は無線基地局に情報伝送を行うことができる、マルチ通信方式対応センサ機能付きハイブリッド型ソフトＩＤタグに関するものである。なお、本明細書におけるハイブリッド型とは、バッテリーレスで動作を行うパッシブ型のＲＦＩＤ通信と、バッテリーにて動作を行うアクティブ型の微弱無線等の無線通信の２種類の通信が行えることを指し、ソフトＩＤタグとはＣＰＵのプログラム制御にて前記動作が行えるＲＦＩＤタグを指すものである。
【背景技術】
【０００２】
近年、物品の在庫管理やトレーサビリティー管理及び人の位置情報管理等を行う手段としてＲＦＩＤタグが注目され、普及しつつある。該ＲＦＩＤタグとリーダー間の無線通信における伝送媒体方式には、主に電磁結合型，電磁誘導型及びマイクロ波型がある。
【０００３】
電磁結合型は、セキュリティを重視した非接触ＩＣカードシステムにおいて主に使用され、非接触ＩＣカードとリーダーのアンテナ間において相互誘導により発生した誘導起電力により非接触ＩＣカードを動作させて情報通信を行うものであり、通信距離は数ｍｍ程度である。また、電磁誘導型は、基本的には電磁結合型と同様であり、ＲＦＩＤタグとリーダーのアンテナ間において電磁誘導により発生した誘導起電力によりＲＦＩＤタグを動作させて情報通信を行うものであり、通信距離は５０ｃｍ〜１ｍ程度である。キャリア周波数は、１３．５６ＭＨｚが代表的である。また、マイクロ波型は、マイクロ波帯の電磁波によりＲＦＩＤタグとリーダーのアンテナ間において情報通信を行うものであり、通信距離は２ｍ〜５ｍ程度である。キャリア周波数は、９５０ＭＨｚ帯や２．４５ＧＨｚが代表的である。
【０００４】
また、上記ＲＦＩＤタグとリーダー間の無線通信における変調方式として、ＡＳＫ（Amplitude Shift Keying）変調，ＦＳＫ（Frequency Shift Keying）変調，ＰＳＫ（Phase Shift Keying）変調及びＰＰＭ（Pulse Position Modulation）変調等の何れかが用いられ、ベースバンド符号化方式としては、ＮＲＺ（Non Return to Zero）符号，マンチェスタ符号，単極ＲＺ符号，ミラー符号等の何れかが用いられる。また、メーカー独自の変調方式やベースバンド符号化方式が用いられる場合もある。
【０００５】
上述のようなＲＦＩＤタグを使用するシステムにあっては、当該システムの用途に応じて最適なキャリア周波数及び変調方式を採用したＲＦＩＤタグにて運用されている。しかしながら、用途によっては各キャリア周波数での特徴を活かすべく複数のキャリア周波数に対応したＲＦＩＤタグが必要とされることがある。該要求に応えるべく本願出願人らによる特願２００３−３８７１８４号公報の『ＲＦＩＤ通信における２周波通信方式』においては、主に１３．５６ＭＨｚと９５０ＭＨｚ帯の２つのキャリア周波数を自動認識して切替使用することができる２周波対応のＲＦＩＤタグについて提案した。
【０００６】
また、物品の在庫管理やトレーサビリティー管理及び人の位置情報管理等を行う手段以外に、加速度センサや圧力センサ等から出力されるセンサ信号を測定して生体情報や計測情報等を取得し、該測定データの管理及び測定データによる制御を目的とした手段にも使用されている。該手段を実行するためには、各種センサから出力されるアナログ信号をデジタル信号に変換するためのＡ／Ｄ変換回路や測定データのメモリへの蓄積及び周辺回路の制御等を行うためのＣＰＵをＲＦＩＤタグ内のチップに内蔵する必要がある。
【０００７】
上記センサ機能付きＲＦＩＤタグとして、本願出願人らによる特願２００４−１７７５２０号公報の『バッテリーレス型プログラム制御可能な論理回路付きＲＦＩＤ応答器』においては、高効率なアンテナ回路により発生した誘導起電力を大容量コンデンサに充電し、該電力によりＣＰＵ及び外部インターフェース部を駆動してセンサ信号を処理することができるＲＦＩＤ応答器（タグ）について提案した。
【０００８】
また、パッシブ型ＲＦＩＤタグの通信距離として、キャリア周波数が９５０ＭＨｚ帯のもので最長５ｍ程度であり、条件次第では更に数ｍの延長も可能であるが、それ以上距離を延長して通信を行うことができなかった。しかしながら、用途によっては１０ｍ以上の遠隔通信が必要とされることもある。該要求に応えるべく本願出願人らによる特願２００５−２８６２０９号公報の『遠隔通信機能付きＲＦＩＤタグ』においては、リーダーからの起動コマンド受信時又はリーダーとの通信エリアを外れた場合に、バッテリー駆動によるＲＦ通信モジュールにて遠方の無線基地局と微弱無線等による遠隔通信が行えるＲＦＩＤタグについて提案した。
【０００９】
【特許文献１】特願２００３−３８７１８４
【特許文献２】特願２００４−１７７５２０
【特許文献３】特願２００５−２８６２０９
【発明の開示】
【発明が解決しようとする課題】
【００１０】
しかしながら、上記特願２００３−３８７１８４号公報における２周波通信方式は、単に９５０ＭＨｚ帯のキャリア周波数を１３．５６ＭＨｚ近傍に分周して内部クロックとするロジック制御方式であり、機能が限定されていた。従って、複数のキャリア周波数及び変調方式に柔軟に対応することができないという問題点があった。また、上記特願２００４−１７７５２０号公報におけるプログラム制御可能な論理回路付きＲＦＩＤ応答器（タグ）は、ＣＰＵをＲＦＩＤタグ内のチップに内蔵又は外部接続可能とし、更にはセンサ信号を処理して質問器（リーダー）からのアクセス時に情報伝送を行うことができるものであるが、従来のリーダーとタグとの関係から逸脱できず、センサ信号状態を判断して自ら情報伝送を行うことができないという問題点があった。また、上記特願２００５−２８６２０９号公報における遠隔通信機能付きＲＦＩＤタグも、前記２つの問題点を含んでいた。
【００１１】
本発明は、以上述べたような問題点を解決するために成されたものであり、複数のキャリア周波数及び複数の変調方式の中から使用するシステムに合致したキャリア周波数及び変調方式をプログラム制御により選択設定してリーダーとＲＦＩＤ通信を行うことができると共に、外部アナログ信号又はデジタル信号の入出力処理及び当該信号状態を判断して自ら前記リーダー又は無線基地局に情報伝送を行うことができる、マルチ通信方式対応センサ機能付きハイブリッド型ソフトＩＤタグを提供することを目的とする。
【課題を解決するための手段】
【００１２】
上記課題を解決するため、本発明のマルチ通信方式対応センサ機能付きハイブリッド型ソフトＩＤタグにあっては、リーダーとＲＦＩＤ通信を行うためのＲＦＩＤ部と、無線基地局と微弱無線等による無線通信を行うためのＲＦ通信部と、前記ＲＦＩＤ部とＲＦ通信部の制御及び外部アナログ信号又はデジタル信号の入出力処理を行うためのＣＰＵ部にて構成する。
【００１３】
複数のキャリア周波数及び複数の変調方式の中から使用するシステムに合致したキャリア周波数及び変調方式を選択する方法にあっては、ＲＦＩＤ部において個々のＲＦＩＤ通信用のキャリア周波数に同調するアンテナ及び同調回路と当該同調回路の共振周波数を決定するためのＳＡＷフィルタとの組合せを複数有すると共に、ＣＰＵ部においてキャリア周波数及び変調方式選択用プログラムを蓄積したプログラムメモリによるＣＰＵの制御により前記ＳＡＷフィルタの選択を行う。
【００１４】
外部アナログ信号又はデジタル信号の入出力処理及び当該信号状態を判断して自らリーダー又は無線基地局に情報伝送を行う方法にあっては、ＣＰＵ部において外部アナログ信号又はデジタル信号の入出力処理を行うためのインターフェース回路を有すると共に、アナログ信号入力データ又はデジタル信号入力データが予め設定された閾値をクロスすることによる状態変化を捉えてＲＦＩＤ部又はＲＦ通信部を自動的に動作させる。
【００１５】
ＲＦＩＤ通信エリア内においては、リーダーとマルチ通信方式対応センサ機能付きハイブリッド型ソフトＩＤタグ間とのバッテリーレス動作によるＲＦＩＤ通信と、リーダーからの指令による無線基地局とマルチ通信方式対応センサ機能付きハイブリッド型ソフトＩＤタグ間とのバッテリー動作による無線通信を行い、ＲＦＩＤ通信エリア外においては、無線基地局からの指令若しくはアナログ信号入力データ又はデジタル信号入力データが予め設定された閾値をクロスすることによる状態変化を捉えて自動的に前記無線基地局とマルチ通信方式対応センサ機能付きハイブリッド型ソフトＩＤタグ間とのバッテリー動作による無線通信を行う。
【発明の効果】
【００１６】
本発明のマルチ通信方式対応センサ機能付きハイブリッド型ソフトＩＤタグ及びリーダーを用いたＲＦＩＤシステムを構築した場合、構築環境の状態や用途に応じ、複数のキャリア周波数及び複数の変調方式の中から使用するシステムに合致したキャリア周波数及び変調方式をプログラム制御により選択設定することによりリーダーとＲＦＩＤ通信を行うことができ、使用するリーダーとＲＦＩＤタグとの統一化が図られる。このため、ＲＦＩＤシステムの構築及び変更が容易に行えると共にメンテナンスも簡単になり、システム構築費及びメンテナンス費が安価に抑えられるという絶大なる効果を奏する。また、外部アナログ信号又はデジタル信号の入出力処理及び当該信号状態により自ら前記リーダー又は無線基地局に自動的に情報伝送を行うことができるため、リアルタイム性や緊急性を必要とする用途においての展開が可能になるという効果も奏する。また、ＲＦＩＤ通信エリア内におけるリーダーからの指令又はＲＦＩＤ通信エリア外における外部アナログ信号又はデジタル信号状態を判断して自動的にバッテリー動作による無線通信が行えるため、バッテリーセーブに対応した通信距離を意識することがないハイブリッド型のセンシングネットワーク構築が行えるという効果も奏する。
【発明を実施するための最良の形態】
【００１７】
本発明を実施するための最良の形態を図を用いて説明する。
【００１８】
図１は本発明のマルチ通信方式対応センサ機能付きハイブリッド型ソフトＩＤタグを構成する概略ブロック図である。該図に示すように、マルチ通信方式対応センサ機能付きハイブリッド型ソフトＩＤタグ１は、リーダーとＲＦＩＤ通信を行うためのＲＦＩＤ部２と、無線基地局と微弱無線等による無線通信を行うためのＲＦ通信部１８と、前記ＲＦＩＤ部２とＲＦ通信部１８の制御及び外部アナログ信号又はデジタル信号の入出力処理を行うためのＣＰＵ部３にて構成する。
【００１９】
ＲＦＩＤ部２において、個々のＲＦＩＤ通信用のキャリア周波数に同調するアンテナ４及び同調回路５と当該同調回路５の共振周波数を決定するためのＳＡＷフィルタ７との組合せを複数有する。図２は図１における同調回路の回路構成図例であり、リーダーとＲＦＩＤ通信を行うためアンテナ４を同調キャパシタ６ａ，６ｂから成る同調回路５に接続すると共に、システムで使用するキャリア周波数、例えば１３．５６ＭＨｚ，９５０ＭＨｚ帯又は２．４５ＧＨｚ等のフィルタ特性を有したＳＡＷフィルタ７を接続して共振回路を構成する。
【００２０】
上記同調回路５の後段には、リーダーのアンテナから送信された電磁波が当該マルチ通信方式対応センサ機能付きハイブリッド型ソフトＩＤタグ１のアンテナ４で受信された時に発生する誘導起電力又はキャリアを検波してベースバンド信号を抽出したり、前記誘導起電力又はキャリアを整流して直流電圧を取り出すための整流回路８を接続する。
【００２１】
次に、上記整流回路８の後段には、ＣＰＵ部３を動作させるためのクロック生成を行うＶＣＯ及びＰＬＬ９と、信号受信時においてキャリアから信号を取り出す復調動作を行ったり信号送信時においてスイッチング素子（図示せず）により変調動作を行うための変復調回路１０と、上記直流電圧を安定化して回路電源を供給したり、充電用コンデンサ１２に充電電圧を供給するための電源回路１１を接続する。該充電用コンデンサ１２は一般的にはセラミックコンデンサを使用し、電力を必要とする場合には大容量型の電気二重層コンデンサ等の使用が好適であるが、特に限定するものではない。
【００２２】
次に、ＣＰＵ部３において、上記変復調回路１０及びＳＡＷフィルタ７の制御と、後述のインターフェース回路１７及びＲＦ通信部１８の制御を行うため、ＣＰＵ１３のバス１４を前記変復調回路１０，ＳＡＷフィルタ７，インターフェース回路１７及びＲＦ通信部１８に接続する。また、当該ＣＰＵ１３の動作プログラムを記憶したプログラムメモリ１５と、当該マルチ通信方式対応センサ機能付きハイブリッド型ソフトＩＤタグ１の固有ＩＤ情報やインターフェース回路１７にて検出した外部アナログ信号入力データ又はデジタル信号入力データ等を記憶するためのデータメモリ１６をバス１４に接続する。
【００２３】
次に、アナログ信号出力型の外部センサから出力されるアナログ信号をＡ／Ｄ変換して適正なデジタル値に変換したり、デジタル信号出力型の外部センサから出力されるデジタル信号を入力すること等を行うインターフェース回路１７を上記ＣＰＵ１３のバス１４に接続する。図３は図１のインターフェース回路におけるアナログ信号入力用の回路構成図例であり、多チャンネルのアナログ入力信号Ai-1‥Ai-nがアナログマルチプレクサ２３に接続される。ここで、バス１４内の制御信号にて1つのアナログ信号を選択すると、スケーラーアンプ２４にて適正レベルにスケーリングされ、Ａ／Ｄコンバータ２５にてデジタル値に変換されてＣＰＵ１３に読み込まれ、更にデータメモリ１６に記憶される。また、図４は図１のインターフェース回路におけるデジタル信号入出力用の回路構成図例であり、デジタル入力信号Di-1‥Di-nがトライステートバッファ２６に接続される。ここで、バス１４内の制御信号にてセレクト信号を入力用に設定すると、前記入力データがＣＰＵ１３に読み込まれ、更にデータメモリ１６に記憶される。なお、該回路においてはデータ出力も可能であり、セレクト信号を出力用に設定すると、データメモリ１６内より出力データがＣＰＵ１３にて読み出され、デジタル出力信号Do-1‥Do-nがトライステートバッファ２６より出力される。
【００２４】
なお、上記プログラムメモリ１５及びデータメモリ１６は、強誘電体型の不揮発性メモリであるＦＲＡＭ（Ferroelectric RAM：米国Ramtron社の登録商標）が好適であり、回路電源がＯＦＦになっても当該マルチ通信方式対応センサ機能付きハイブリッド型ソフトＩＤタグ１の固有ＩＤ情報や外部アナログ信号入力データ又はデジタル信号入力データ等のデータは消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、メモリとしてはＦＲＡＭが好適であるが他のメモリを使用しても構わない。
【００２５】
次に、ＲＦ通信部１８において、無線基地局と無線通信を行うためのアンテナ２０とバッテリー１９を接続する。また、該ＲＦ通信部１８を制御するため、上記ＣＰＵ１３のバス１４をＲＦ通信ポート２１を中継して接続する。なお、前記バッテリー１９は当該ＲＦ通信部１８専用であり、未使用時における電力消費を無くすため、別途制御線により電源制御を行うと好適である。また、バッテリー１９の種類としてはリチウム電池が好適であるが、ソーラーセルなど如何なるものであっても構わない。
【００２６】
なお、上記ＣＰＵ１３のバス１４を外部通信ポート２２に接続して設けておけば、ＲＦ通信部１８以外の他のインターフェース機器の接続が可能となり、本発明のマルチ通信方式対応センサ機能付きハイブリッド型ソフトＩＤタグ１の応用範囲が広がることになる。
【実施例】
【００２７】
本発明の実施例を図１に基づいて説明する。
【００２８】
まず、マルチ通信方式対応センサ機能付きハイブリッド型ソフトＩＤタグ１のＲＦＩＤ部２において個々のＲＦＩＤ通信用のキャリア周波数に同調するアンテナ４及び同調回路５と当該同調回路５の共振周波数を決定するためのＳＡＷフィルタ７との組合せを複数内蔵しておく。例えば、キャリア周波数として１３．５４ＭＨｚ，９５０ＭＨｚ帯及び２．４５ＧＨｚの３周波に対応させる場合、１３．５４ＭＨｚ用アンテナ４ａ，９５０ＭＨｚ帯用アンテナ４ｂ及び２．４５ＧＨｚ用アンテナ４ｃを個々に接続した同調回路５及びＳＡＷフィルタ７を各３組内蔵する。
【００２９】
ここで、ＣＰＵ部３においてキャリア周波数及び変調方式選択用プログラムを蓄積したプログラムメモリ１６によるＣＰＵ１３の制御により前記ＳＡＷフィルタ７の選択を行う。該選択動作はＶＣＯ及びＰＬＬ９にて生成された１３．５６ＭＨｚ，９５０ＭＨｚ帯又は２．４５ＧＨｚの何れかと同期したシステムクロックによりキャリア周波数を判定して瞬時に行われる。また、変調方式の選択も予めプログラム設定された変調方式の中からビットパターンを判定して瞬時に行われる。以上の方法により、複数のキャリア周波数及び複数の変調方式の中から使用するシステムに合致したキャリア周波数及び変調方式をプログラム制御により選択設定してリーダーとＲＦＩＤ通信が行えることになる。
【００３０】
次に、マルチ通信方式対応センサ機能付きハイブリッド型ソフトＩＤタグ１のＣＰＵ部３において外部アナログ信号又はデジタル信号の入出力処理を行うためのインターフェース回路１７を内蔵する。該インターフェース回路１７は、外部センサがアナログ信号出力型であれば１乃至複数チャンネルのＡ／Ｄ変換器とし、デジタル信号出力型であれば１乃至複数ビットの入力バッファとする。
【００３１】
ここで、上記アナログ信号入力データ又はデジタル信号入力データが予め設定された閾値をクロスすることにより状態変化を捉える。例えばフルスケールデータを０〜１０００として５００を超えた場合に警報信号を出力するように設定されていた場合、５００を超えた時点でＲＦＩＤ部２を自動的に動作させ、ＲＦＩＤ通信エリア内においてリーダーからのサイクリックな問合せに対する応答時に警報信号を出力する。又はＲＦＩＤ通信エリア外においてＲＦ通信部１８を自動的に動作させ、遠方にある無線基地局に警報信号を出力する。以上の方法により、外部アナログ信号又はデジタル信号の入出力処理及び当該信号状態を判断して自らリーダー又は無線基地局に情報伝送を行うことができることになる。
【００３２】
また、ＲＦＩＤ通信エリア内においては、リーダーとマルチ通信方式対応センサ機能付きハイブリッド型ソフトＩＤタグ１間とのバッテリーレス動作によるＲＦＩＤ通信と、リーダーからの指令による無線基地局とマルチ通信方式対応センサ機能付きハイブリッド型ソフトＩＤタグ１のＲＦ通信部１８間とのバッテリー動作による無線通信が行える。ＲＦＩＤ通信エリア外においては、無線基地局からの指令若しくはアナログ信号入力データ又はデジタル信号入力データが予め設定された閾値をクロスすることによる状態変化を捉えて自動的に前記無線基地局とマルチ通信方式対応センサ機能付きハイブリッド型ソフトＩＤタグ１のＲＦ通信部１８間とのバッテリー動作による無線通信が行える。このため、バッテリーセーブに対応した通信距離を意識しないハイブリッド型のセンシングネットワーク構築が行えることになる。
【図面の簡単な説明】
【００３３】
【図１】本発明のマルチ通信方式対応センサ機能付きハイブリッド型ソフトＩＤタグを構成する概略ブロック図である。
【図２】図１における同調回路の回路構成図例である。
【図３】図１のインターフェース回路におけるアナログ信号入力用の回路構成図例である。
【図４】図１のインターフェース回路におけるデジタル信号入出力用の回路構成図例である。
【符号の説明】
【００３４】
１  マルチ通信方式対応センサ機能付きハイブリッド型ソフトＩＤタグ
２  ＲＦＩＤ部
３  ＣＰＵ部
４  アンテナ
５  同調回路
６  同調キャパシタ
７  ＳＡＷフィルタ
８  整流回路
９  ＶＣＯ及びＰＬＬ
１０  変復調回路
１１  電源回路
１２  充電用コンデンサ
１３  ＣＰＵ
１４  バス
１５  プログラムメモリ
１６  データメモリ
１７  インターフェース回路
１８  ＲＦ通信部
１９  バッテリー
２０  アンテナ
２１  ＲＦ通信ポート
２２  外部通信ポート
２３  アナログマルチプレクサ
２４  スケーラーアンプ
２５  Ａ／Ｄコンバータ
２６  トライステートバッファ
【図１】
2007174130.tif 000003
【図２】
2007174130.tif 000004
【図３】
2007174130.tif 000005
【図４】
2007174130.tif 000006